(57)【要約】【課題】モータとねじ軸の直結による電動スライドレールを提供する。【解決手段】モータとねじ軸の直結による電動スライドレールであって、その左側スライドレール（１）及び右側スライドレール（２）にはいずれも、上部レール（１１）、下部レール（１２）、電動モータ（１５）、ねじ軸（１６）、ねじ付きアセンブリ（１８）及び止めリング（１９）が含まれており、上部レール（１１）の両端にはそれぞれ第１切り込み（１３）及び第２切り込み（１４）が配置され、電動モータ（１５）はモータブラケット（１１４）により上部レール（１１）の下面に固定され、ねじ軸（１６）は一端が電動モータ（１５）に接続され、他端が上部レール（１１）の下面に回転可能に固定され、ねじ付きアセンブリ（１８）の底部は下部レール（１２）の上面に固定接続され、ねじ軸（１６）はねじ付きアセンブリ（１８）を水平に貫通し、止めリング（１９）は第１切り込み（１３）内に位置し、かつ止めリング（１９）と第１切り込み（１３）との間には隙間を有する。  【選択図】 図３
2021535860.tif 000002
【特許請求の範囲】
【請求項１】
下部レールと、
前記下部レールの上方に配置され、かつ前記下部レールに摺動可能に接続され、両端にそれぞれ第１切り込み及び第２切り込みがさらに配置される上部レールと、
モータブラケットにより前記上部レールの下面に固定される電動モータと、
前記下部レールの上方に平行に配置され、一端が前記電動モータに接続され、他端が前記上部レールの下面に回転可能に固定されるねじ軸と、
底部が前記下部レールの上面に固定接続され、前記ねじ軸により水平に貫通されて螺合されるねじ付きアセンブリと、
前記ねじ軸の前記電動モータに近づく一端に固定され、前記第１切り込み内に位置し、かつ前記第１切り込みとの間に隙間を有する止めリングと、を備える、左側スライドレール及び右側スライドレールを含む、
ことを特徴とするモータとねじ軸の直結による新型電動スライドレール。
【請求項２】
前記電動モータと前記モータブラケットとの間にはさらにゴム部材が配置され、
前記ゴム部材は前記電動モータの外面に覆設される、
ことを特徴とする請求項１に記載のモータとねじ軸の直結による新型電動スライドレール。
【請求項３】
前記モータブラケットは第１ボルトにより上部レールの下面に固定接続される、ことを特徴とする請求項１に記載のモータとねじ軸の直結による新型電動スライドレール。
【請求項４】
さらに、前記第２切り込みに固定され、中央孔が配置される後部ブラケットを含み、前記ねじ軸の他端には、平面軸が一体成型されて配置され、
前記平面軸は前記中央孔に係合する、ことを特徴とする請求項１または２に記載のモータとねじ軸の直結による新型電動スライドレール。
【請求項５】
前記ねじ付きアセンブリは第２ボルトにより前記下部レールに固定接続される、ことを特徴とする請求項１に記載のモータとねじ軸の直結による新型電動スライドレール。
【請求項６】
前記ねじ軸は、前記電動モータの回転子軸に一体成型される、ことを特徴とする請求項１に記載のモータとねじ軸の直結による新型電動スライドレール。
【発明の詳細な説明】
【技術分野】
【０００１】
本発明は自動車座席用スライドレールの技術分野に関し、特に、モータとねじ軸の直結による新型電動スライドレールに関する。
【背景技術】
【０００２】
近年、市販の電動スライドレールは、図１及び図２に示すように、前部に取り付けられる電動スライドレール及び中央部に取り付けられる電動スライドレールに分けられた。
【０００３】
前部に取り付けられる電動スライドレール及び中央部に取り付けられる電動スライドレールは、いずれもモータ（１ａ）、モータブラケット（２ａ）、可撓性シャフトアセンブリ（３ａ）、左側スライドレール（４ａ）及び右側スライドレール（５ａ）から構成されている。従来の電動スライドレールには、下記の不足がある。いずれの構成も、将来のより多様な電動車車体環境の要件を満たさない可能性がある（モータブラケットが車体または車体の付属品に干渉する）。異なる車体に合わせてモータブラケット（２ａ）の長さを設計する必要があるため、モジュール化可能性及び汎用性に欠けている。モータブラケット（２ａ）が乗客または運転者に接触される可能性があるため、安定性に欠けている。モータ（１ａ）は、可撓性シャフトアセンブリ（３ａ）及び減速機による多段トランスミッションを介して動力をねじ軸に伝達するため、部品の点数が多く、音質及びその安定性に欠け、エネルギー伝達効率が低い。
【発明の概要】
【発明が解決しようとする課題】
【０００４】
本発明は、従来技術の課題を解決するためのものであり、より多様な電動車車体環境に適合し、かつ汎用性及び安定性に優れるモータとねじ軸の直結による新型電動スライドレールを提供することを目的とする。
本発明は、主に下記の技術案により上記課題を解決する。
本発明が提供するモータとねじ軸の直結による新型電動スライドレールは、
下部レールと、
【０００５】
前記下部レールの上方に配置され、かつ前記下部レールに摺動可能に接続され、さらに両端にそれぞれ第１切り込み及び第２切り込みが配置される上部レールと、
モータブラケットにより前記上部レールの下面に固定される電動モータと、
前記下部レールの上方に平行に配置され、一端が前記電動モータに接続され、他端が前記上部レールの下面に回転可能に固定されるねじ軸と、
底部が前記下部レールの上面に固定接続され、前記ねじ軸により水平に貫通されて螺合されるねじ付きアセンブリと、
【０００６】
前記ねじ軸の前記電動モータに近づく一端に固定され、前記第１切り込み内に位置し、かつ前記第１切り込みとの間に隙間を有する止めリングと、を備える、左側スライドレール及び右側スライドレールを含む。
さらに、前記電動モータと前記モータブラケットとの間にはさらにゴム部材が配置され、前記ゴム部材は前記電動モータの外面に覆設される。
さらに、前記モータブラケットは第１ボルトにより上部レールの下面に固定接続される。
【０００７】
さらに、前記第２切り込みに固定され、中央孔が配置される後部ブラケットをさらに含み、前記ねじ軸の他端には、平面軸が一体成型されて配置され、前記平面軸は前記中央孔に係合する。
さらに、前記ねじ付きアセンブリは第２ボルトにより前記下部レールに固定接続される。
さらに、前記ねじ軸は、前記電動モータの回転子軸に一体成型される。
【０００８】
本発明の有益な効果は下記のとおりである。電動スライドレールの位置を調節する必要がある場合、電動モータは軸継手を介してねじ軸を駆動して回転させ、ねじ軸は中央にあるねじ付きアセンブリに螺合されることにより、ねじ軸の回転運動を下部レールの直線運動に変換し、電動モータはモータブラケットにより上部レールに接続され、電動モータは上部レールに対して固定され、ねじ軸の回転運動を上部レールと下部レールとの間の相対的直線運動に変換することにより、上部レール及び下部レールの相対位置の調節を実現することができる。本発明は、可撓性シャフトなどの部品を不要とし、部品の点数を削減し、より多様な電動車車体環境に適合させ、汎用性及び安定性により優れる。
【図面の簡単な説明】
【０００９】
本発明の実施例または従来技術の技術案をより明瞭に説明するために、以下では、実施例または従来技術の説明に使用される図面を簡単に説明する。明らかに、以下の説明における図面は本発明の実施例の一部に過ぎず、当業者であれば、創造的な労力をせず、これらの図面に基づいて、他の図面を得ることができる。
【図１】従来技術における、電動スライドレールが前部に取り付けられた構造を示す図である。
【図２】従来技術における、電動スライドレールが中央部に取り付けられた構造を示す図である。
【図３】本発明の、モータとねじ軸の直結による新型電動スライドレールの構造を示す図である。
【図４】本発明の、モータとねじ軸の直結による新型電動スライドレールの断面図である。
【図５】本発明の、モータとねじ軸の直結による新型電動スライドレールの分解図である。
【図６】本発明の、モータとねじ軸の直結による新型電動スライドレールの第１切り込みの構造を示す図である。
【図７】本発明の、モータとねじ軸の直結による新型電動スライドレールの第２切り込みの構造を示す図である。
【図８】本発明の別の実施例の、モータとねじ軸の直結による新型電動スライドレールの構造を示す図である。
【図９】本発明のモータとねじ軸の直結による新型電動スライドレールのねじ軸と電動モータを一体成型した構造を示す図である。
【発明を実施するための形態】
【００１０】
以下、図面に合わせて、本発明の好適な実施形態を詳しく説明することで、本発明の利点及び特徴に対する当業者の理解を容易にして、本発明の保護範囲をさらに明瞭かつ明確に定義する。
【００１１】
図３〜７に示すように、本発明のモータとねじ軸の直結による新型電動スライドレールは左側スライドレール１及び右側スライドレール２を含む。左側スライドレール１及び右側スライドレール２はいずれも、上部レール１１、下部レール１２、電動モータ１５、ねじ軸１６、ねじ付きアセンブリ１８及び止めリング１９を含む。
【００１２】
上部レール１１は、下部レール１２の上方に配置され、かつ下部レール１２に摺動可能に接続され、さらに両端にそれぞれ第１切り込み１３と第２切り込み１４が開設される。
電動モータ１５は、モータブラケット１１４により上部レール１１の下面に固定される。
ねじ軸１６は、下部レール１２の上方に平行に配置され、一端が電動モータ１５に接続され、他端が上部レール１１の下面に回転可能に固定される。
なお、ねじ軸１６の一端は軸継手１７により電動モータ１５に接続されてもよい。
ねじ付きアセンブリ１８は、底部が下部レール１２の上面に固定接続される。
ねじ軸１６は、ねじ付きアセンブリ１８を水平に貫通し、かつねじ付きアセンブリ１８に螺合される。
止めリング１９は、ねじ軸１６の電動モータ１５に近づく一端に固定され、第１切り込み１３内に位置し、かつ第１切り込み１３との間に隙間を有する。
【００１３】
本発明によれば、前後の車両に衝突が発生すると、隙間がなくなった場合、止めリング１９は第１切り込み１３に接触する。これにより、ねじ軸１６は、固定されたままであり、スライドレールの位置が変化しないことを保証し、乗員の安全を確保する。
【００１４】
本発明において、電動スライドレールの位置を調節する必要がある場合、電動モータ１５は軸継手１７を介してねじ軸１６を駆動して回転させる。これにより、ねじ軸１６は、中央にあるねじ付きアセンブリ１８に螺合される。そして、ねじ軸１６の回転運動は、下部レール１２の直線運動に変換される。電動モータ１５は、モータブラケット１１４を介して上部レール１１に接続される。電動モータ１５は、上部レール１１に対して固定される。そのため、ねじ軸１６の回転運動を上部レール１１と下部レール１２との間の相対的直線運動に変換することにより、上部レール１１及び下部レール１２の相対位置を調節することができる。本発明によれば、可撓性シャフトなどの部品を不要とし、部品の点数を削減し、より多様な電動車車体環境に適合し、かつ汎用性及び安定性により優れた。
【００１５】
好ましくは、電動モータ１５とモータブラケット１１４との間にさらにゴム部材１９が配置されることである。ゴム部材１９は電動モータ１５の外面に覆設される。ゴム部材１９は電動モータ１５と上部レール１１との間の共振を効果的に遮断することで、騒音を低減する。
好ましくは、モータブラケット１１４は第１ボルト１１３により上部レール１１の下面に固定接続されることである。
【００１６】
本発明はさらに後部ブラケット１１０を含む。後部ブラケット１１０は第２切り込み１４に固定される。後部ブラケット１１０には中央孔１１１が配置される。ねじ軸１６の他端には、平面軸１１２が一体成型されて配置される。平面軸１１２は中央孔１１１に係合する。平面軸１１２及び中央孔１１１は主にねじ軸１６の回転を支持するように配置される。
好ましくは、ねじ付きアセンブリ１８は第２ボルト１１５により下部レール１２に固定接続されることである。
【００１７】
本発明によれば、静止状態では、上部レール１１が前後の縦方向力（上部レールに平行である）を受けると、力は、上部レール１１からモータブラケット１１４を介して電動モータ１５に伝達され、そして、電動モータ１５から軸継手１７を介してねじ軸１６に伝達される。ねじ軸１６とねじ付きアセンブリ１８は相互に螺合されるため、自己係止として機能する。そこで、縦方向力を受けても、下部レール１２の縦方向への変位が生じないことなく、上部レール１１の下部レール１２に対する係止を実現することができる。
【００１８】
図８〜９に示すように、本発明の別の実施例においては、ねじ軸１６と電動モータ１５の回転子軸とは一体成型されている。電動モータ１５は、回転子軸を駆動して回転させると同時に、ねじ軸１６を駆動して回転させる。
【００１９】
以上の説明は、本発明の具体的な実施方式に過ぎず、本発明の保護範囲を限定するものではないため、創造的労力によらず想到し得るあらゆる変更や置換は、本発明の保護範囲に属する。したがって、本発明の保護範囲は、特許請求の範囲に限定されている保護範囲に準ずる。
【図１】
2021535860.tif 000003
【図２】
2021535860.tif 000004
【図３】
2021535860.tif 000005
【図４】
2021535860.tif 000006
【図５】
2021535860.tif 000007
【図６】
2021535860.tif 000008
【図７】
2021535860.tif 000009
【図８】
2021535860.tif 000010
【図９】
2021535860.tif 000011
【国際調査報告】
2021535860.tif 000012
2021535860.tif 000013
2021535860.tif 000014
2021535860.tif 000015